(57)【特許請求の範囲】
【請求項１】
洗浄機本体の開口部に昇降により開閉する開閉扉を設けた器具洗浄機において、
上記開閉扉の下部の内面に扉幅略一杯に延びてこの扉内面に沿って流れる洗浄水を受ける樋部材を形成し、この樋部材の上記開口部にかからない位置に洗浄水を流下させる水抜き孔を形成するとともに、上記樋部材を越えて流出する洗浄水を受け、この洗浄水を、上記開口部を避けた位置に排出させる補助樋部材を備えたことを特徴とする器具洗浄機。
【請求項２】
洗浄機本体の開口部に昇降により開閉する開閉扉を設け、この開閉扉が、上記開口部の略下半部を覆い前方へ傾動して開閉される傾動扉と、この傾動扉の開閉に連動して昇降し、上記開口部の略上半部を覆う昇降扉とを有した器具洗浄機において、
上記昇降扉の下部の内面に扉幅略一杯に延びてこの扉内面に沿って流れる洗浄水を受ける樋部材を形成し、この樋部材の上記開口部にかからない位置に洗浄水を流下させる水抜き孔を形成するとともに、上記樋部材を越えて流出する洗浄水を受け、この洗浄水を、上記開口部を避けた位置に排出させる補助樋部材を備えたことを特徴とする器具洗浄機。
【請求項３】
上記昇降する扉の側縁部には上記洗浄機本体の支柱側から突出した案内ローラを受ける案内レールを備え、この案内レールの下端には上記開口部から離れる方向に傾斜した傾斜部を備え、上記水抜き孔からの洗浄水をこの案内レールの前面に沿って流下させ、上記案内レールの下端の傾斜部に沿って上記開口部から離れる方向に流出させる構成を備えたことを特徴とする請求項１又は２記載の器具洗浄機。
【発明の詳細な説明】
【０００１】
【発明の属する技術分野】
本発明は、昇降して開閉される開閉扉を備えた器具洗浄機に関する。
【０００２】
【従来の技術】
一般に、洗浄機本体内に洗浄ノズルとすすぎノズルとを備え、これらノズルを通じて洗浄水、すすぎ水を供給して、洗浄機本体内に投入したトレイ等の比較的大型の器具を洗浄する構成を備えた器具洗浄機が知られている。
【０００３】
この種のものでは、洗浄対象が比較的大型で、洗浄機本体の開口部の高さが高くなるため、そこに設けられる開閉扉が、開口部の下半部を覆い前方へ傾動して開閉される傾動扉と、この傾動扉の開閉に連動して昇降し、開口部の上半部を覆う昇降扉とで構成されたものが提案されている。
【０００４】
開閉扉を一枚の傾動扉だけで構成した場合、扉の解放時における前方への突出量が大きくなりすぎるし、一枚の昇降扉だけで構成した場合、扉の解放時における上方への突出量が大きくなりすぎるからである。
【０００５】
【発明が解決しようとする課題】
ところで、上記開口部に昇降扉を備えた場合、洗浄運転中に、洗浄水が昇降扉に付着し、洗浄後にこの昇降扉を開けた場合、その扉内面に付着した洗浄水が流下し、その洗浄水が、開口部から取り出す洗浄済みのトレイ等の器具類にかかって、洗浄仕上がりが悪くなるという問題があった。
【０００６】
そこで、本発明の目的は、上述した従来の技術が有する課題を解消し、洗浄後の洗浄水の後垂れを防止できる器具洗浄機を提供することにある。
【０００７】
【課題を解決するための手段】
請求項１記載の発明は、洗浄機本体の開口部に昇降により開閉する開閉扉を設けた器具洗浄機において、上記開閉扉の下部の内面に扉幅略一杯に延びてこの扉内面に沿って流れる洗浄水を受ける樋部材を形成し、この樋部材の開口部にかからない位置に洗浄水を流下させる水抜き孔を形成するとともに、上記樋部材を越えて流出する洗浄水を受け、この洗浄水を、上記開口部を避けた位置に排出させる補助樋部材を備えたことを特徴とする。
【０００８】
請求項２記載の発明は、洗浄機本体の開口部に昇降により開閉する開閉扉を設け、この開閉扉が、上記開口部の略下半部を覆い前方へ傾動して開閉される傾動扉と、この傾動扉の開閉に連動して昇降し、上記開口部の略上半部を覆う昇降扉とを有した器具洗浄機において、昇降扉の下部の内面に扉幅略一杯に延びてこの扉内面に沿って流れる洗浄水を受ける樋部材を形成し、この樋部材の開口部にかからない位置に洗浄水を流下させる水抜き孔を形成するとともに、上記樋部材を越えて流出する洗浄水を受け、この洗浄水を、上記開口部を避けた位置に排出させる補助樋部材を備えたことを特徴とする。
【０００９】
請求項３記載の発明は、請求項１又は２記載のものにおいて、上記昇降する扉の側縁部には上記洗浄機本体の支柱側から突出した案内ローラを受ける案内レールを備え、この案内レールの下端には上記開口部から離れる方向に傾斜した傾斜部を備え、上記水抜き孔からの洗浄水をこの案内レールの前面に沿って流下させ、上記案内レールの下端の傾斜部に沿って上記開口部から離れる方向に流出させる構成を備えたことを特徴とする。
【００１１】
本発明では、昇降する扉の内面に沿って流下する洗浄水のすべてが樋部材に流れ込み、この洗浄水は、樋部材の端に形成された水抜き孔から流出するため、器具の洗浄後、昇降する扉を上昇させた場合、この扉の内面に付着した洗浄水が後垂れで下方に滴下するといった不都合が解消され、その洗浄水が、開口部から取り出す洗浄済みのトレイ等の器具類にかかるといった不都合が解消されるため、仕上がりに優れた洗浄が可能になる。
【００１２】
【発明の実施の形態】
以下、本発明の一実施形態を図面に基づいて説明する。
【００１３】
図１において、１は器具洗浄機を示す。この器具洗浄機１は４本の支柱２を基準に枠組みされており、上部には箱形の洗浄機本体３を備え、下部には機械室５を備えて構成されている。この機械室５には支柱２に固定された側板５Ａと底板５Ｂが設けられ、この底板５Ｂ上には、後述の洗浄ノズルに洗浄水を供給する洗浄ポンプ６と、すすぎノズルにすすぎ水を供給するすすぎポンプ７とが設置されている。８は洗浄水の保温ヒータである。
【００１４】
洗浄機本体３内には洗浄室１０が形成されており、この洗浄室１０の下部には下部洗浄ノズル１１及び下部すすぎノズル１２が配置され、洗浄室１０の上部にはこれらノズル１１，１２に対向して、上部洗浄ノズル１３及び上部すすぎノズル１４が配置されている。
【００１５】
この器具洗浄機１では、図示は省略したが、トレイ等の比較的大型の器具を洗浄対象とするため、洗浄機本体３の前面に形成された開口部１５の高さは高く設定されている。従って、そこに設けられる開閉扉２０は、開口部１５の略下半部を覆い、洗浄機本体３の前方へ手動により傾動して開閉される傾動扉１７と、この傾動扉１７にリンク機構１９を介して連結され、傾動扉１７の開閉に連動して昇降し、開口部１５の略上半部を覆う昇降扉２１とで構成されている。
【００１６】
図２は開閉扉２０を閉じた状態を示し、図３は開閉扉２０を開けた状態を示している。図２では傾動扉１７と昇降扉２１とによって開口部１５が全閉されている。傾動扉１７の取っ手１７Ａに手を掛けて、それを手前に引くと、図３に示すように、傾動扉１７が前方に傾動し、これに連動して昇降扉２１が上方に上昇して、開口部１５が全開される。
【００１７】
図４は、図３の矢印Ａ部分の拡大図、図５は、図４のＶ−Ｖ断面図、図６は、図４のVI−VI断面図である。
【００１８】
図４に示すように、支柱２から軸３１が突出し、この軸３１には案内ローラ３３が回転自在に取り付けられている。この案内ローラ３３を受け入れるように、図５に示すように、断面コ字形の案内レール３５が配置され、この案内レール３５が昇降扉２１の側縁部の内面に縦長に固定されている。この案内レール３５は昇降扉２１の両側縁部に同じ構造で固定され、この昇降扉２１は、一対の案内レール３５に案内されて昇降される。
【００１９】
この器具洗浄機１では、開閉扉２０を手動で開放し、例えばラックに保持したトレイ等の比較的大型の洗浄対象を、その開口部１５から洗浄室１０に投入し、開閉扉２０を閉じた後、運転スイッチを投入すると、下部洗浄ノズル１１及び下部すすぎノズル１２、上部洗浄ノズル１３及び上部すすぎノズル１４を用いた一連の洗浄工程に従う洗浄運転が実行される。
【００２０】
ところで、この器具洗浄機１の洗浄運転中には、洗浄水が開閉扉２０の内面に付着するため、洗浄後、特に昇降扉２１を開けた場合、その扉２１の内面に付着した洗浄水が流下し、その洗浄水が、開口部１５から取り出す洗浄済みのトレイ等の器具類にかかる恐れがある。
【００２１】
本実施形態では、図６に示すように、昇降扉２１を構成する板金の下部がＬ字形に折り曲げられ、この水平部２１Ａに、扉幅略一杯に延びるＬ字形部材３７が例えばスポット溶接され、その部分に扉幅略一杯に延びる上方を開口した樋部材３９が形成される。この樋部材３９には昇降扉２１の内面２１Ｂに沿って流下する洗浄水のすべてが流れ込み、この洗浄水は、図５に示すように、この樋部材３９の上記開口部１５にかからない位置（案内レール３５の前面３５Ａに近接する上記水平部２１Ａ）に形成された矩形状の水抜き孔４１を通じて下方に流出する。この水抜き孔４１を通じて流出した洗浄水は、図４を参照し、案内レール３５の前面３５Ａに沿って流れ落ちる。案内レール３５の側面３５Ｂに洗浄水が回り込んだとしても、この案内レール３５の下端には、上記開口部１５から離れる方向に傾斜した傾斜部３５Ｃを備えるため、この案内レール３５の側面３５Ｂに回り込んだ洗浄水は、この案内レール３５の傾斜部３５Ｃに沿って導かれて、上記開口部１５から離れる方向に流れ落ちる。
【００２２】
上記構成では、昇降扉２１の内面２１Ｂに沿って流下する洗浄水のすべてが樋部材３９に流れ込み、この洗浄水は、樋部材３９の端に形成された水抜き孔４１から流出するため、器具の洗浄後、傾動扉１７を開き、これに連動して昇降扉２１を上昇させた場合、昇降扉２１の内面２１Ｂに付着した洗浄水（洗剤）が後垂れで下方に滴下するといった不都合が解消され、その洗浄水が、開口部１５から取り出す洗浄済みのトレイ等の器具類にかかるといった不都合が解消されるため、仕上がりに優れた洗浄が可能になる。
【００２３】
本実施形態では、水抜き孔４１が塵等によって詰まった場合を想定し、図６に示すように、Ｌ字形部材３７を越えて流出する洗浄水を受ける補助樋部材４３が形成されている。この補助樋部材４３は、上記樋部材３９と同様に、扉幅略一杯に延在し、図４に示すように、傾斜部４３Ａを備え、図５に示すように、その下端面４３Ｂは、開口部１５を避けた位置に臨んでいる。従って、水抜き孔４１が塵等によって詰まって、洗浄水が、Ｌ字形部材３７を越えて流出した場合、そのオーバーフローした洗浄水は、補助樋部材４３に集められ、開口部１５を避けた位置に排水される。
【００２４】
この補助樋部材４３の傾斜部４３Ａは、開口部１５の中央が高く、両側が低くなる山形の構造であるが、一側が高く、他側が低くなるいわゆる片流れの構造であってもよい。
【００２５】
以上、一実施形態に基づいて本発明を説明したが、本発明はこれに限定されるものではないことは明らかである。
【００２６】
例えば、開閉扉２０は傾動扉１７と昇降扉２１との組み合わせ扉で説明したが、これに限定されず、開閉扉２０が一枚の昇降扉で構成されていても、本発明が適用されることは言うまでもない。
【００２７】
【発明の効果】
本発明では、昇降する扉の内面に沿って流下する洗浄水のすべてが樋部材に流れ込み、この洗浄水は、樋部材の端に形成された水抜き孔から流出するため、器具の洗浄後、昇降する扉を上昇させた場合、この扉の内面に付着した洗浄水が後垂れで下方に滴下するといった不都合が解消され、その洗浄水が、開口部から取り出す洗浄済みのトレイ等の器具類にかかるといった不都合が解消されるため、仕上がりに優れた洗浄が可能になる。
【図面の簡単な説明】
【図１】本発明による器具洗浄機の一実施形態を示す斜視図である。
【図２】開閉扉を全閉した時の正面図である。
【図３】開閉扉を全開した時の正面図である。
【図４】図３の矢印Ａ部分の拡大図である。
【図５】図４のＶ−Ｖ断面図である。
【図６】図４のVI−VI断面図である。
【符号の説明】
１  器具洗浄機
３  洗浄機本体
１５  開口部
１７  傾動扉
２０  開閉扉
２１  昇降扉
３３  案内ローラ
３５  案内レール
３５Ａ  前面
３７  Ｌ字形部材
３９  樋部材
４１  水抜き孔
【図１】
0004544758.tif 000002
【図２】
0004544758.tif 000003
【図３】
0004544758.tif 000004
【図４】
0004544758.tif 000005
【図５】
0004544758.tif 000006
【図６】
0004544758.tif 000007